(57)【特許請求の範囲】
【請求項１】
所定の排出条件の成立に基づき所要数の遊技球を排出する排出装置を備えた遊技機において、
前記排出装置は、
同一の回転軸を中心に回転可能な一対の回転体と、
前記一対の回転体に対して遊技球を２条で供給可能な待機流路と、
前記一対の回転体のそれぞれの周面に形成され、前記待機流路の下流端部にて待機する遊技球を、当該回転体の回転に伴い１個保持可能な複数の球保持部と、
前記球保持部に保持され前記回転体の回転により搬送された遊技球が排出される排出流路と、を備え、
前記一対の回転体は、回転に伴ってそれぞれの前記球保持部が交互に前記待機流路の下流端部に臨むように、互いの前記球保持部が所定の位相差を持って前記回転軸に固定され、
前記一対の回転体の周面には、前記待機流路の下流端部にて待機する遊技球が１個だけの場合に、その遊技球を次に前記待機流路の下流端部に臨む球保持部へと誘導する誘導部が、前記一対の回転体の互いに隣合う前記球保持部の間に当該一対の回転体の境界に沿って隆起して形成され、
前記誘導部は、
前記一対の回転体の境界に沿って延びる頂部と、
前記頂部から前記一対の回転体のそれぞれの周面に向けて傾斜する一対の傾斜面と、を有し、
前記一対の傾斜面のうち一方は、前記一対の回転体の境界から後続の球保持部に向かって形成され、
前記頂部は、前記一対の回転体の回転方向に対して所定の角度差を持って延在すると共に、前記頂部における回転方向前方側端部は、前記一対の回転体の境界に対して先行の球保持部側へと寄った位置に設けられることを特徴とする遊技機。
【請求項２】
前記頂部における回転方向後方側端部は前記境界上に設けられることを特徴とする請求項１に記載の遊技機。
【請求項３】
前記頂部は、前記回転方向後方側端部に向かって高く形成されることを特徴とする請求項２に記載の遊技機。
【発明の詳細な説明】
【技術分野】
【０００１】
本発明は、遊技球を用いる遊技機に関するものである。
【背景技術】
【０００２】
従来の遊技機において、遊技球を貯留する貯留タンクの遊技球を賞球又は貸し球として遊技機前面側の供給皿に排出する遊技球排出装置を備えるものが知られている。
【０００３】
特許文献１には、２条に整流されて供給される遊技球を、モータ等の駆動源で回転する一対のスプロケットによって排出する遊技球排出装置を備える遊技機が開示されている。
【特許文献１】特開２００１−１２９１９６号公報
【発明の開示】
【発明が解決しようとする課題】
【０００４】
特許文献１に開示の遊技機の場合、遊技球排出装置に遊技球を供給するにあたって遊技球を２条に整流する必要があった。これは、遊技球が２条に整流されて一対のスプロケットに供給される場合には、一対のスプロケットの全ての球受部に遊技球が流入するが、整流されずに１条で一対のスプロケットに供給された場合には、その遊技球は、本来流入すべきスプロケットではない方のスプロケットに流入してしまうことがある。このような場合には、遊技球を排出しない球受部が存在することになり、決められた個数の遊技球が排出されない事態が発生する。
【０００５】
そのため、一対のスプロケットに対して、遊技球を２条で供給するための整流装置を設ける必要があった。整流装置を設ける場合、遊技機の構造が複雑になると共に、コストが増加するという問題があった。
【０００６】
本発明は、上記の問題点に鑑みてなされたものであり、遊技球排出装置を備える遊技機において、簡便な構造で遊技球を整流し排出することができる遊技機を提供することを目的とする。
【課題を解決するための手段】
【０００７】
第１の発明は、所定の排出条件の成立に基づき所要数の遊技球を排出する排出装置を備えた遊技機において、前記排出装置は、同一の回転軸を中心に回転可能な一対の回転体と、前記一対の回転体に対して遊技球を２条で供給可能な待機流路と、前記一対の回転体のそれぞれの周面に形成され、前記待機流路の下流端部にて待機する遊技球を、当該回転体の回転に伴い１個保持可能な複数の球保持部と、前記球保持部に保持され前記回転体の回転により搬送された遊技球が排出される排出流路と、を備え、前記一対の回転体は、回転に伴ってそれぞれの前記球保持部が交互に前記待機流路の下流端部に臨むように、互いの前記球保持部が所定の位相差を持って前記回転軸に固定され、前記一対の回転体の周面には、前記待機流路の下流端部にて待機する遊技球が１個だけの場合に、その遊技球を次に前記待機流路の下流端部に臨む球保持部へと誘導する誘導部が、前記一対の回転体の互いに隣合う前記球保持部の間に当該一対の回転体の境界に沿って隆起して形成され、前記誘導部は、前記一対の回転体の境界に沿って延びる頂部と、前記頂部から前記一対の回転体のそれぞれの周面に向けて傾斜する一対の傾斜面と、を有し、前記一対の傾斜面のうち一方は、前記一対の回転体の境界から後続の球保持部に向かって形成され、前記頂部は、前記一対の回転体の回転方向に対して所定の角度差を持って延在すると共に、前記頂部における回転方向前方側端部は、前記一対の回転体の境界に対して先行の球保持部側へと寄った位置に設けられることを特徴とする。
【００１２】
第２の発明は、前記頂部における回転方向後方側端部は前記境界上に設けられることを特徴とする。
【００１３】
第３の発明は、前記頂部は、前記回転方向後方側端部に向かって高く形成されることを特徴とする。
【発明の効果】
【００１４】
第１の発明によれば、待機流路の下流端部にて待機する遊技球が１個だけの場合でも、その遊技球は、誘導部によって次に待機流路の下流端部に臨む球保持部へと誘導されるため、一対の回転体の全ての球保持部に遊技球が収容される。このように、排出装置は、遊技球の排出と共に、回転体に供給される遊技球の整流も行うことができるため、遊技機に別途整流装置を設ける必要がなく、遊技機を簡便な構造にすることができる。また、誘導部は、一対の回転体の周方向に沿って隆起して形成されるため、待機流路の下流端部にて待機する遊技球が１個だけの場合には、その隆起した形状によって、次に待機流路の下流端部に臨む球保持部へと確実に誘導される。また、一対の傾斜面のうち一方は、一対の回転体の境界から後続の球保持部に向かって形成されるため、その一方の傾斜面は、一対の回転体の境界付近で待機する遊技球を、後続の球保持部へと誘導するように作用する。また、誘導部の頂部は、一対の回転体の回転方向に対して所定の角度差を持って延在するため、誘導部の傾斜面は、一対の回転体の境界を横切って形成される。したがって、一対の回転体の境界を横切る傾斜面は、一対の回転体の境界付近で待機する遊技球を、後続の球保持部へと誘導するように作用する。
【００１８】
第２の発明によれば、誘導部の傾斜面は、一対の回転体の境界を横切って形成されることになり、一対の回転体の境界付近で待機する遊技球を、後続の球保持部へと誘導するように作用する。
【００１９】
第３の発明によれば、頂部は回転方向後方側端部に向かって高く形成されるため、待機流路の下流端部にて待機する１個の遊技球は、誘導部にて誘導される際、一対の回転体の境界を横切る傾斜面にスムーズに乗り上げ、後続の球保持部へと誘導される。
【発明を実施するための最良の形態】
【００２０】
以下、図面を参照して、本発明の実施の形態について説明する。
【００２１】
まず、図１を参照して、本発明の実施の形態に係る遊技機（パチンコ機）１００の裏面側について説明する。図１は遊技機１００の背面図である。
【００２２】
遊技機１００は、島設備に固定される機枠（外枠）１にヒンジを介して一側部が開閉回動自在に取り付けられる前面枠２を備え、前面枠２の略正方形状の開口部には、遊技領域を有する遊技盤（図示省略）が取り付けられる。
【００２３】
遊技機１００の裏面側、具体的には、前面枠２の裏面側には、中央に略正方形状の開口部を有する枠状の裏機構盤３が取り付けられる。裏機構盤３の開口部には、遊技盤に配設された入賞装置（図示省略）の後部や、遊技盤に形成された開口に遊技盤前方から嵌装されるセンターケース（図示省略）の後部等が配置され、これらは、裏機構盤３の開口部に取り付けられるカバー４によって後方から覆われる。
【００２４】
裏機構盤３の上部には、遊技機１００を外部機器に電気的に接続するための外部ターミナル１０と、島設備に設けられた補給装置（図示省略）から補給された遊技球を貯留すると共に、貯留した遊技球を排出する球貯留ユニット１１とが配設される。
【００２５】
裏機構盤３の側部（図１中右側）には、球貯留ユニット１１から排出された遊技球を、遊技機前面に配設された上皿及び下皿（図示省略）に払い出す球排出ユニット１２が配設される。
【００２６】
裏機構盤３の下部には、球排出ユニット１２を制御する排出制御装置１３が配設される。
【００２７】
球貯留ユニット１１は、遊技球を貯留可能な貯留タンク１４と、貯留タンク１４の下方に配置され、貯留タンク１４から供給される遊技球を球排出ユニット１２へと誘導する誘導樋１５とを備える。なお、誘導樋１５は、遊技球が２条で転動可能に形成される。
【００２８】
球排出ユニット１２はカバー１６によって覆われ、カバー１６内には、所定の排出条件の成立に基づき所要数の遊技球を排出する排出装置２０が収装される。
【００２９】
ここで、所定の排出条件の成立とは、打球発射装置より遊技領域内に発射された遊技球が遊技領域内に配設された各入賞口に入賞した場合や、遊技機１００の前面側に配設されたカード球貸ユニット用の操作パネル（図示省略）の球貸スイッチが遊技者によって押された場合等である。
【００３０】
遊技球が各入賞口に入賞した場合には、遊技制御装置（図示省略）から排出制御装置１３に賞球信号が出力され、排出装置２０は、所要数の遊技球を上皿等に排出する。また、球貸スイッチが遊技者によって押された場合には、遊技機１００に併設されたカード球貸ユニット（図示省略）から排出制御装置１３に球貸し要求信号が出力され、排出装置２０は、所要数の遊技球を上皿等に排出する。
【００３１】
以下に、図２〜図５を参照して、排出装置２０について説明する。図２は排出装置２０の斜視図であり、図３は排出装置２０の内部の構成を示す正面図であり、図４は排出装置２０の分解斜視図であり、図５は排出装置２０の断面斜視図である。なお、図５に示す断面は、回転体の回転軸と平行な断面である。
【００３２】
排出装置２０は、透明な合成樹脂からなるケーシング２１と、ケーシング２１内に配置され回転軸２２を中心に回転可能な回転体２３と、出力軸２４ａが回転軸２２に連結され回転体２３を回転駆動するモータ２４とを備える。
【００３３】
ケーシング２１は、図４に示すように、回転体２３を収容する第１ケース２５及び第２ケース２６と、モータ２４を収容する第３ケース２７の３つのケースからなり、第２ケース２６を第１ケース２５と第３ケース２７とによって挟んで一体に締結される。なお、図３は、第１ケース２５を取り外した状態の図である。
【００３４】
図２に示すように、第１ケース２５及び第２ケース２６の上面には、それぞれ凹部２５ａ、２６ａが形成される。この凹部２５ａ及び凹部２６ａによって、ケーシング２１の上面には、球貯留ユニット１１の誘導樋１５によって導かれる遊技球がケーシング２１内へ流入する際の入口部２８が形成される。
【００３５】
入口部２８は、遊技球が２条でケーシング２１内へと流入可能なように、幅が少なくとも遊技球の直径の２倍以上に形成される。
【００３６】
回転体２３は、同一の回転軸２２に固定され、同一の形状である一対の第１回転体２３Ａ及び第２回転体２３Ｂからなる。なお、以下において、一対の第１回転体２３Ａ及び第２回転体２３Ｂを総称する場合、回転体２３と称する。
【００３７】
第１回転体２３Ａ及び第２回転体２３Ｂの周面には、遊技球を１個保持可能な球保持部３０が等間隔に複数形成される。球保持部３０は、円弧状に窪んで形成される。本実施の形態では、球保持部３０は、図３に示すように、第１回転体２３Ａ及び第２回転体２３Ｂのそれぞれの周面に１２０度間隔で３個形成される。
【００３８】
第１回転体２３Ａと第２回転体２３Ｂは、互いの球保持部３０が所定の位相差を持って回転軸２２に固定される。本実施の形態では、第１回転体２３Ａと第２回転体２３Ｂの互いに隣合う球保持部３０が６０度の位相差を持って固定される（図６参照）。
【００３９】
図３に示すように、第１ケース２５と第２ケース２６の内部には、入口部２８からケーシング２１内に流入した遊技球を回転体２３に対して供給する待機流路３１が形成される。
【００４０】
待機流路３１は、回転体２３の回転軸２２の軸方向の幅が少なくとも遊技球の直径の２倍以上に形成され、回転体２３に対して遊技球を２条で供給可能なように構成される。また、待機流路３１は、下流端部が回転体２３の周面に臨んで形成される。したがって、遊技球が待機流路３１を２条で流下する場合には、第１回転体２３Ａ及び第２回転体２３Ｂのそれぞれの周面に遊技球が１球ずつ供給されることになる。
【００４１】
また、図３に示すように、待機流路３１は、下流端部の鉛直下方に回転体２３の回転軸２２が位置するように配置される。したがって、回転体２３の回転の過程で、球保持部３０の開口部が真上を向いたときに、球保持部３０は待機流路３１の下流端部に臨むことになる。なお、本実施の形態では、回転体２３は、図３及び図４の方向から見て時計回りに回転する。
【００４２】
遊技球は、球貯留ユニット１１の貯留タンク１４から待機流路３１の下流端部まで数珠つなぎ状態で存在するため、待機流路３１の下流端部では、回転体２３の周面上に遊技球が待機した状態となる。そして、第１回転体２３Ａ及び第２回転体２３Ｂのそれぞれの球保持部３０は、回転体２３の回転に伴って交互に待機流路３１の下流端部に臨むため、待機流路３１の下流端部で待機している遊技球は、交互に第１回転体２３Ａと第２回転体２３Ｂの球保持部３０に収容される。搬送される。
【００４３】
第２回転体２３Ｂの球保持部３０に収容された遊技球は、第２ケース２６に形成された円弧状のガイド３４（図３参照）に案内されて搬送される。そして、第１ケース２５と第２ケース２６の内部に形成された排出流路３２に臨んだ時点で、自重によって球保持部３０から流出し排出流路３２へと排出される。同様に、第１回転体２３Ａの球保持部３０に収容された遊技球は、第１ケース２５に形成された円弧状のガイド３４（図示省略）に案内されて搬送され、排出流路３２に臨んだ時点で、自重によって球保持部３０から流出し排出流路３２へと排出される。
【００４４】
排出流路３２に排出された遊技球は、第２ケース２６下部に配設された排出センサ３３の開口部３３ａからケーシング２１の外部へと排出される。
【００４５】
このように、回転体２３は、待機流路３１の下流端部にて待機した遊技球を、球保持部３０にて保持すると共に回転によって搬送し、排出流路３２へと排出する。ここで、第１回転体２３Ａと第２回転体２３Ｂは、互いの球保持部３０が所定の位相差を持って回転軸２２に固定されているため、遊技球は、第１回転体２３Ａと第２回転体２３Ｂとから交互に排出流路３２に排出される。具体的には、第１回転体２３Ａと第２回転体２３Ｂは、互いに隣合う球保持部３０が６０度の位相差を持って配置されているため、遊技球は、回転体２３の１／６回転毎に１球ずつ排出流路３２に排出され、排出センサ３３を通過する。したがって、排出センサ３３の開口部３３ａは、遊技球が１個通過可能な程度の大きさに形成される。
【００４６】
モータ２４は、モータ本体の締結部２４ｂ（図４参照）を介して第２ケース２６の背面に固定されて配置されると共に、出力軸２４ａが第２ケース２６に形成された開口部２６ｂを挿通して回転体２３の回転軸２２に直接連結される（図５参照）。また、モータ２４は、後端部が第３ケース２７に形成された放熱用の円形の開口部２７ａに臨んで配置されるため、モータ２４にて発生する熱は、開口部２７ａを通じて排出される。なお、ケーシング２１の側部には、排出制御装置１３とモータ２４とを電気的に接続する中継基板３６が配設される。
【００４７】
モータ２４は、パルスモータが用いられ、Ｎパルスで１／６回転するように設定される。したがって、排出制御装置１３に遊技球Ｘ個の排出要求があった場合には、モータ２４には、排出制御装置１３からＮ×Ｘパルスの信号が入力される。なお、排出センサ３３では、開口部３３ａにおける遊技球の通過が検出され、その検出信号に基づいて排出制御装置１３では賞球数や貸し球数が正常であるかが定期的に監視される。
【００４８】
次に、図６〜図１０を参照して、回転体２３について詳しく説明する。図６は回転体２３の斜視図であり、図７は回転体２３の正面図であり、図８は回転体２３の側面図であり、図９は待機流路３１の下流端部にて遊技球が２個待機している状態の図であり、図１０は待機流路３１の下流端部にて遊技球が１個待機している状態の図である。なお、第１回転体２３Ａに形成される３つの球保持部を３０Ａ，３０Ｂ，３０Ｃ、第２回転体２３Ｂに形成される３つの球保持部を３０ａ，３０ｂ，３０ｃとし、全てを総称する場合、球保持部３０と称する。球保持部３０は、回転体２３の回転に伴って、３０Ａ、３０ａ、３０Ｂ、３０ｂ、３０Ｃ、３０ｃの順番で、待機流路３１の下流端部に臨む。
【００４９】
上述のように、待機流路３１は、回転体２３の回転軸２２の軸方向の幅が少なくとも遊技球の直径の２倍以上に形成される。したがって、通常は、遊技球は、待機流路３１を２条で流下し、図９に示すように、第１回転体２３Ａ及び第２回転体２３Ｂのそれぞれの周面上に１球ずつ供給され、待機流路３１の下流端部にて遊技球が２個（図９中、符号４０ａ，４０ｂにて示す遊技球）待機する状態となる。この場合には、回転体２３の回転に伴い、待機流路３１の下流端部にて待機する遊技球４０ａ，４０ｂは、第１回転体２３Ａ及び第２回転体２３Ｂのそれぞれの球保持部３０に交互に収容されるため、回転体２３の全ての球保持部３０にて遊技球が保持されることになる。
【００５０】
しかし、遊技機１００は、球貯留ユニット１１の誘導樋１５に遊技球を２条に整流するための装置を有さないため、図１０に示すように、待機流路３１の下流端部にて遊技球が１個（図１０中、符号４０ｃにて示す遊技球）しか待機しない状態、つまり、直上の２個の遊技球４０ｄと４０ｅの間の溝に嵌り込んだ状態となる場合がある。この状態は、排出装置２０に遊技球が全く無い状態で、遊技球を排出装置２０へと供給開始する際に起こり易い。また、遊技球が誘導樋１５から排出装置２０へと導かれる過程で、前２個と後２個の遊技球の間に嵌り込んだ場合にも起こり得る。
【００５１】
待機流路３１の下流端部にて遊技球が１個しか待機しない状態では、その遊技球４０ｃは、第１回転体２３Ａと第２回転体２３Ｂとの境界２３ａ付近で待機することとなるため、回転体２３が回転し、球保持部３０が待機流路３１の下流端部に臨んでも、球保持部３０へと収容されない場合がある。また、図１０の状態では、遊技球４０ｃは、回転体２３の回転に伴い、次に待機流路３１の下流端部に臨む第２回転体２３Ｂの球保持部３０ａに収容されなければならいが、第２回転体２３Ｂの球保持部３０ａには収容されずに、その次に待機流路３１の下流端部に臨む第１回転体２３Ａの球保持部３０Ｂに収容されてしまう場合がある。
【００５２】
このように、待機流路３１の下流端部にて遊技球が１個しか待機しない状態では、その１個の遊技球４０ｃは、収容されるべき球保持部３０へと収容されない場合があり、その場合には、排出装置２０は、排出要求通りの遊技球を排出できないことになる。
【００５３】
このような事態を回避するため、回転体２３の周面には、待機流路３１の下流端部にて待機する遊技球が１個だけの場合に、その遊技球を、次に待機流路３１の下流端部に臨む球保持部３０へと誘導する誘導部４１が複数形成される。
【００５４】
誘導部４１は、図６及び図８に示すように、第１回転体２３Ａと第２回転体２３Ｂの互いに隣合う球保持部３０の間に配設され、回転体２３の周方向に沿って隆起して形成される。また、誘導部４１は、第１回転体２３Ａと第２回転体２３Ｂとの周面を跨いで形成される。本実施の形態では、誘導部４１は、図７に示すように、６個（４１Ａ〜４１Ｆ）形成され、４１Ａ，４１Ｂ，・・・４１Ｆの順番で待機流路３１の下流端部に臨む。
【００５５】
誘導部４１は、第１回転体２３Ａと第２回転体２３Ｂとの境界２３ａに沿って延びる頂部４２と、頂部４２から第１回転体２３Ａ及び第２回転体２３Ｂのそれぞれの周面に向けて傾斜する一対の傾斜面４３ａ，４３ｂとを有する。このように、誘導部４１は、断面が略三角形状に形成され、回転方向前方側及び後方側のそれぞれの端部に略三角形状の前方側端面４１ａ及び後方側端面４１ｂが形成される。
【００５６】
頂部４２は、図８に示すように、第１回転体２３Ａと第２回転体２３Ｂとの境界２３ａ付近で待機する遊技球を後続の球保持部３０へと誘導可能なように、第１回転体２３Ａと第２回転体２３Ｂとの境界２３ａに対して、つまり、回転体２３の回転方向に対して所定の角度差を持って延在する。
【００５７】
具体的には、頂部４２における回転方向前方側端部４２ａは、境界２３ａに対して先行の球保持部３０側へと寄った位置に設けられ、頂部４２における回転方向後方側端部４２ｂは境界２３ａ上に設けられる。ここで、後続の球保持部３０、先行の球保持部３０とは、誘導部４１を挟む２つの球保持部３０のうち、それぞれ回転方向後方側、回転方向前方側のものを指す。
【００５８】
傾斜面４３ａ，４３ｂは、頂部４２から回転体２３の周面に向けて円弧状に傾斜して形成される。具体的には、遊技球の外周面と同じ曲率半径で形成される。したがって、誘導部４１の前方側端面４１ａ及び後方側端面４１ｂは、図９に示すように、遊技球が２個並んだときに形成される隙間と相似に形成される。
【００５９】
また、誘導部４１における頂部４２は、図７に示すように、回転方向後方側端部４２ｂに向かって高く形成される。つまり、回転方向前方側端部４２ａが低く形成される。したがって、誘導部４１の前方側端面４１ａは、後方側端面４１ｂと比較して小さく形成される。
【００６０】
具体的には、後方側端面４１ｂは、図９に示すように、待機流路３１の下流端部にて遊技球が２個待機する状態におけるその２個の遊技球によって形成される隙間と略同一の形状に形成され、かつ同一の位置に配置される。
【００６１】
前方側端面４１ａは、待機流路３１の下流端部にて遊技球が２個待機する状態における一方の遊技球と、待機流路３１の下流端部にて遊技球が１個待機する状態におけるその１個の遊技球とによって形成される隙間と略同一に形成され、かつ同一の位置に配置される。例えば、図９及び図１０に示す誘導部４１Ｂの前方側端面４１ａは、図９に示す遊技球４０ａと図１０に示す遊技球４０ｃとによって形成される隙間と略同一に形成され、かつ同一の位置に配置される。
【００６２】
誘導部４１がこのように形成されることによって、誘導部４１の傾斜面４３ａ，４３ｂのうち一方、例えば、誘導部４１Ｂについては、図８に示すように、傾斜面４３ｂが境界２３ａを横切って形成される。このように、誘導部４１Ｂの傾斜面４３ｂは、第１回転体２３Ａと第２回転体２３Ｂとの境界２３ａから、後続の球保持部３０に向かって形成される。これにより、誘導部４１Ｂは、待機流路３１の下流端部にて遊技球が１個待機する状態では、第１回転体２３Ａと第２回転体２３Ｂとの境界２３ａ付近で待機する遊技球を、後続の球保持部３０ａへと誘導するように作用する。また、待機流路３１の下流端部にて遊技球が２個待機する状態では、前方側端面４１ａは、待機している２個の遊技球に接触しないため、誘導部４１Ｂが遊技球に対して影響を及ぼすことはない。
【００６３】
このように、誘導部４１は、待機流路３１の下流端部にて遊技球が１個待機する状態では、その待機する遊技球を後続の球保持部３０へと誘導するに作用し、待機流路３１の下流端部にて遊技球が２個待機する状態では、待機する遊技球に対して影響を及ぼさないように形成されている。
【００６４】
また、頂部４２は、回転方向後方側端部４２ｂに向かって高く形成されるため、遊技球は、誘導部４１にて誘導される際、傾斜面４３ａ，４３ｂのうち境界２３ａを横切る一方の傾斜面にスムーズに乗り上げ、後続の球保持部３０へと誘導される。
【００６５】
以上で説明した誘導部４１について、図６及び図８に示す符号を参照して説明する。
【００６６】
誘導部４１Ａは、傾斜面４３ａが境界２３ａを横切って形成され、遊技球を第１回転体２３Ａに形成された後続の球保持部３０Ａへと誘導する。また、誘導部４１Ｂは、傾斜面４３ｂが境界２３ａを横切って形成され、遊技球を第２回転体２３Ｂに形成された後続の球保持部３０ａへと誘導する。また、誘導部４１Ｃは、傾斜面４３ａが境界２３ａを横切って形成され、遊技球を第１回転体２３Ａに形成された後続の球保持部３０Ｂへと誘導する。このように、誘導部４１は、後続の球保持部３０へと遊技球を誘導可能なように、１つ毎に逆向きに配設される。
【００６７】
なお、第１ケース２５内には光電センサ３７（図４及び図５参照）が配設される。光電センサ３７は、凹状に形成され、一方の突部が発光部であり、他方の突部が受光部である。第１回転体２３Ａには、回転軸２２の周りに環状に配置された６つの遮光棒３８が配設され、各遮光棒３８は、回転体２３の回転に伴って順次に光電センサ３７の凹部を通過する。
【００６８】
光電センサ３７は、回転軸２２の鉛直上方に配設され、また、各遮光棒３８は、図７に示すように、各誘導部４１Ａ〜４１Ｆに対応して配設される。したがって、光電センサ３７は、各誘導部４１Ａ〜４１Ｆが待機流路３１の下流端部に臨んだ状態を検出することができるため、その検出信号を基に、遊技球が球保持部３０に収容される直前の状態（図９の状態）で回転体２３を止めることができる。これにより、回転体２３の停止位置を正確に制御することができ、遊技球が余分に排出することを防止することができる。
【００６９】
次に、主に図９〜図１１を参照して、誘導部４１の作用について説明する。
【００７０】
まず、図９に示すように、待機流路３１の下流端部に２個の遊技球４０ａ，４０ｂが待機する通常の場合について説明する。誘導部４１Ｂは第１回転体２３Ａと第２回転体２３Ｂとの境界２３ａに沿って配置されるため、回転体２３の回転の際、誘導部４１Ｂの頂部４２は、待機する２個の遊技球４０ａと４０ｂとの間を通過する。したがって、待機する遊技球４０ａ，４０ｂは、誘導部４１Ｂに影響を受けることはなく、第２回転体２３Ｂの周上にて待機する遊技球４０ｂは、次に待機流路３１の下流端部に臨む第２回転体２３Ｂの球保持部３０ａに収容され、第１回転体２３Ａの周上にて待機する遊技球４０ａは、その次に待機流路３１の下流端部に臨む第１回転体２３Ａの球保持部３０Ｂに収容される。
【００７１】
このように、誘導部４１は、待機流路３１の下流端部にて待機する遊技球が２個の場合には、その待機する２個の遊技球に影響を及ぼすことはない。
【００７２】
次に、図１０に示すように、待機流路３１の下流端部に１個の遊技球４０ｃだけが待機し、その遊技球４０ｃを誘導部４１Ｂにて誘導する場合について説明する。誘導部４１Ｂは、回転方向前方側端部４２ａが境界２３ａに対して先行の球保持部３０Ａ側へと寄った位置に設けられるため、傾斜面４３ｂは、境界２３ａを横切り後続の球保持部３０ａに連通して形成される。したがって、回転体２３の回転に伴って、境界２３ａ付近にて待機する遊技球４０ｃは、誘導部４１Ｂの傾斜面４３ｂに乗り上がり、傾斜面４３ｂによって第２回転体２３Ｂ側へと移動する。そして、図１１に示すように、第２回転体２３Ｂの周面上へと導かれ、次に待機流路３１の下流端部に臨む第２回転体２３Ｂの球保持部３０ａに収容される。
【００７３】
このように、誘導部４１は、待機流路３１の下流端部にて待機する遊技球が１個の場合には、その待機する１個の遊技球を、次に待機流路３１の下流端部に臨む球保持部３０へと誘導する。
【００７４】
以上に示す実施の形態によれば、以下に示す効果を奏する。
【００７５】
待機流路３１の下流端部にて待機する遊技球が１個だけの場合でも、その遊技球は、誘導部４１によって次に待機流路３１に下流端部に臨む球保持部３０へと確実に誘導されるため、第１回転体２３Ａ及び第２回転体２３Ｂの全ての球保持部３０に遊技球が収容される。このように、排出装置２０は、遊技球の排出と共に、回転体２３に供給される遊技球の整流も行うことができるため、遊技機１００に別途整流装置を設ける必要がなく、遊技機１００を簡便な構造にすることができる。
【００７６】
本発明は上記の実施の形態に限定されずに、その技術的な思想の範囲内において種々の変更がなしうることは明白である。
【産業上の利用可能性】
【００７７】
本発明の遊技機は、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【図面の簡単な説明】
【００７８】
【図１】本発明の実施の形態に係る遊技機の背面図である。
【図２】排出装置の斜視図である。
【図３】排出装置の内部の構成を示す正面図である。
【図４】排出装置の分解斜視図である。
【図５】排出装置の断面斜視図である。
【図６】回転体の斜視図である。
【図７】回転体の正面図である。
【図８】回転体の側面図である。
【図９】待機流路の下流端部にて遊技球が２個待機している状態の図である。
【図１０】待機流路の下流端部にて遊技球が１個待機している状態の図である。
【図１１】誘導部の作用を説明する図である。
【符号の説明】
【００７９】
１００  遊技機
３      裏機構盤
１１    球貯留ユニット
１２    球排出ユニット
１３    排出制御装置
１４    貯留タンク
１５    誘導樋
２０    排出装置
２１    ケーシング
２２    回転軸
２３    回転体
２３Ａ  第１回転体
２３Ｂ  第２回転体
２３ａ  境界
２４    モータ
２５    第１ケース
２６    第２ケース
２７    第３ケース
２８    入口部
３０    球保持部
３１    待機流路
３２    排出流路
４１    誘導部
４１ａ  前方側端面
４１ｂ  後方側端面
４２    頂部
４２ａ  回転方向前方側端部
４２ｂ  回転方向後方側端部
４３ａ，４３ｂ  傾斜面
【図１】
0004783349.tif 000002
【図２】
0004783349.tif 000003
【図３】
0004783349.tif 000004
【図４】
0004783349.tif 000005
【図５】
0004783349.tif 000006
【図６】
0004783349.tif 000007
【図７】
0004783349.tif 000008
【図８】
0004783349.tif 000009
【図９】
0004783349.tif 000010
【図１０】
0004783349.tif 000011
【図１１】
0004783349.tif 000012